【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
隣接セルに関する干渉測定をサポートする方法であって、前記方法は、
一つ以上の基準信号を一つ以上の第１の資源要素に割り当てることと、
一つ以上のヌル信号を一つ以上の第２の資源要素に割り当てることと、
前記一つ以上の第１の資源要素と用いて、前記一つ以上の基準信号を送信することと
を含み、前記一つ以上の第２の資源要素は、前記隣接セルの少なくとも一つのセルの基準信号が割り当てられる資源要素に対応する、方法。
【請求項２】
前記一つ以上のヌル信号はデータを有しない、請求項１に記載の方法。
【請求項３】
前記一つ以上のヌル信号の位置は、サブフレームインデックスに従って変更される、請求項２に記載の方法。
【請求項４】
前記一つ以上のヌル信号の使用は、サブフレームインデックスに従って変更される、請求項２に記載の方法。
【請求項５】
前記一つ以上の基準信号の数は、アンテナの数に従って変更される、請求項２に記載の方法。
【請求項６】
前記一つ以上の基準信号は、データチャネル領域または制御チャネル領域のいずれかに
割り当てられ、
前記一つ以上のヌル信号は、前記データチャネル領域にのみ割り当てられる、請求項２に記載の方法。
【請求項７】
前記隣接セルのうちの少なくとも一つのセルの干渉は、前記一つ以上の第２の資源要素を用いることによって測定される、請求項２に記載の方法。
【請求項８】
前記一つ以上の基準信号は、前記隣接セルのうちの少なくとも一つのセルの干渉を測定するために用いられる、請求項７に記載の方法。
【請求項９】
隣接セルに関する干渉測定をサポートする装置であって、前記装置は、
一つ以上の基準信号を一つ以上の第１の資源要素に割り当てることと、
一つ以上のヌル信号を一つ以上の第２の資源要素に割り当てることと、
前記一つ以上の第１の資源要素と用いて、前記一つ以上の基準信号を送信することと
を行うように構成され、前記一つ以上の第２の資源要素は、前記隣接セルの少なくとも一つのセルの基準信号が割り当てられる資源要素に対応する、装置。
【請求項１０】
前記一つ以上のヌル信号はデータを有しない、請求項９に記載の装置。
【請求項１１】
前記一つ以上のヌル信号の位置は、サブフレームインデックスに従って変更される、請求項１０に記載の装置。
【請求項１２】
前記一つ以上のヌル信号の使用は、サブフレームインデックスに従って変更される、請求項１０に記載の装置。
【請求項１３】
前記一つ以上の基準信号の数は、アンテナの数に従って変更される、請求項１０に記載の装置。
【請求項１４】
前記一つ以上の基準信号は、データチャネル領域または制御チャネル領域のいずれかに
割り当てられ、
前記一つ以上のヌル信号は、前記データチャネル領域にのみ割り当てられる、請求項１０に記載の装置。
【請求項１５】
前記隣接セルのうちの少なくとも一つのセルの干渉は、前記一つ以上の第２の資源要素を用いることによって測定される、請求項１０に記載の装置。
【請求項１６】
前記一つ以上の基準信号は、前記隣接セルのうちの少なくとも一つのセルの干渉を測定するために用いられる、請求項１５に記載の装置。
【手続補正２】
【補正対象書類名】明細書
【補正対象項目名】００２５
【補正方法】変更
【補正の内容】
【００２５】
また、本発明の更に他の実施例として、第１のセルに対するパイロット信号が割り当てられた第１の資源要素の位置には、第２のセル及び第３のセルに対するパイロット信号が割り当てられなく、第２のセルに対するパイロット信号が割り当てられた第１の資源要素の位置には、第１のセル及び第３のセルに対するパイロット信号が割り当てられなく、第３のセルに対するパイロット信号が割り当てられた第１の資源要素の位置には、第２のセル及び第３のセルに対するパイロット信号が割り当てられないことがある。これを通して、第１のセル、第２のセル及び第３のセルで協力的に隣接セルの干渉を測定することができる。
例えば、本発明は以下の項目を提供する。
（項目１）
隣接セルの干渉を測定するための方法において、
パイロット信号が割り当てられた一つ以上の第１の資源要素を第１の資源ブロックに含まれた所定のシンボル領域に割り当て、
上記所定のシンボル領域のうち第１のシンボル領域に上記隣接セルの干渉量を測定するための一つ以上の第２の資源要素を割り当て、
上記一つ以上の第２の資源要素を用いて上記隣接セルの干渉を測定することを含む、干渉測定方法。
（項目２）
上記一つ以上の第２の資源要素は、上記隣接セルの干渉の大きさを測定するためにデータを伝送しないことを特徴とする、項目１に記載の干渉測定方法。
（項目３）
上記一つ以上の第２の資源要素は、
上記パイロット信号が割り当てられた上記一つ以上の第１の資源要素及び制御チャンネルが割り当てられた資源要素には割り当てられないことを特徴とする、項目２に記載の干渉測定方法。
（項目４）
上記一つ以上の第２の資源要素は、上記一つ以上の第１の資源要素が割り当てられた上記所定のシンボル領域ごとに割り当てられることを特徴とする、項目１に記載の干渉測定方法。
（項目５）
上記パイロット信号が割り当てられた第１の資源要素の個数と上記第２の資源要素の個数は同一であることを特徴とする、項目４に記載の干渉測定方法。
（項目６）
上記パイロット信号が割り当てられた第１の資源要素の個数と上記第２の資源要素の個数は異なることを特徴とする、項目４に記載の干渉測定方法。
（項目７）
上記一つ以上の第１の資源要素を第２の資源ブロックに含まれた所定のシンボル領域に割り当てることをさらに含み、
上記第２の資源ブロックには上記一つ以上の第２の資源要素を割り当てないことを特徴とする、項目１に記載の干渉測定方法。
（項目８）
上記一つ以上の第１の資源要素を第２の資源ブロックに含まれた所定のシンボル領域に割り当て、
上記第２の資源ブロックに含まれた上記所定のシンボル領域のうち第１のシンボル領域に上記隣接セルの干渉量を測定するための上記一つ以上の第２の資源要素を割り当てることをさらに含む、項目１に記載の干渉測定方法。
（項目９）
上記第１の資源ブロックでは第１のアンテナを用いて隣接セルの干渉を測定し、上記第２の資源ブロックでは第２のアンテナを用いて隣接セルの干渉を測定することを特徴とする、項目８に記載の干渉測定方法。
（項目１０）
上記第１のアンテナを用いて測定した隣接セルの干渉量を基盤にして上記第２のアンテナの干渉量を予測し、上記第２の資源ブロックで上記隣接セルの干渉量を測定することを特徴とする、項目９に記載の干渉測定方法。
（項目１１）
上記第１の資源ブロックでは第１のアンテナ及び第２のアンテナを用いて隣接セルの干渉を測定し、
上記第２の資源ブロックでは第３のアンテナ及び第４のアンテナを用いて隣接セルの干渉を測定することを特徴とする、項目８に記載の干渉測定方法。
（項目１２）
上記隣接セルの干渉を測定するのは、
セル境界に位置した各移動局のみで行われることを特徴とする、項目１に記載の干渉測定方法。
（項目１３）
上記第２の資源要素の割り当て可否は、サブフレームインデックスによって決定されることを特徴とする、項目１に記載の干渉測定方法。
（項目１４）
上記第２の資源要素の割り当て位置は、サブフレームインデックスによって決定されることを特徴とする、項目１に記載の干渉測定方法。
（項目１５）
第１のセルに対するパイロット信号が割り当てられた上記第１の資源要素の位置には第２のセル及び第３のセルの上記第２の資源要素のみが割り当てられ、
上記第２のセルに対するパイロット信号が割り当てられた上記第１の資源要素の位置には上記第１のセル及び上記第３のセルの上記第２の資源要素のみが割り当てられ、
上記第３のセルに対するパイロット信号が割り当てられた上記第１の資源要素の位置には上記第２のセル及び上記第３のセルの上記第２の資源要素のみが割り当てられ、
上記第１のセル、第２のセル及び第３のセルで協力的に隣接セルの干渉を測定することを特徴とする、項目１に記載の干渉測定方法。
（項目１６）
第１のセルに対するパイロット信号が割り当てられた上記第１の資源要素の位置には第２のセル及び第３のセルに対するパイロット信号が割り当てられなく、
上記第２のセルに対するパイロット信号が割り当てられた上記第１の資源要素の位置には上記第１のセル及び上記第３のセルに対するパイロット信号が割り当てられなく、
上記第３のセルに対するパイロット信号が割り当てられた上記第１の資源要素の位置には上記第２のセル及び上記第３のセルに対するパイロット信号が割り当てられないことを特徴とする、項目１に記載の干渉測定方法。